(57)【要約】【課題】保持基台により曲率を有する反射部材を保持する際、その膨張係数に差がある場合、反射部材全体を保持基台に接着すると、両者の熱膨張量が異なるため、両者間に応力が発生し、反射部材が歪んでしまう。その結果、結像性能が劣化し、高品質な画像を得ることができないという課題を解決する。【解決手段】保持基台に曲率を有する反射部材を配置する際、反射部材の有効領域に対して十分に小さい面積で接触する円柱あるいは多角形柱型突起部を面頂点位置あるいは重心位置に設け、これを保持基台に接着固定することにより配置および保持を行う。【選択図】        図２
2005024615.tif 000002
【特許請求の範囲】
【請求項１】
曲率を有する反射部材の裏面に該反射部材の有効径に対して十分に小さい面積により保持基台表面と接触する柱型突起部を有することを特徴とする反射部材。
【請求項２】
請求項１において、反射部材の裏面と該柱型突起部の位置は、反射部材の有効径中心付近にあることを特徴とする反射部材。
【請求項３】
請求項１において、反射部材の裏面と該柱型突起部の位置は、反射部材の面頂点付近にあることを特徴とする反射部材。
【請求項４】
請求項１乃至３において、反射部材はプラスチック製またはガラス製であることを特徴とする反射部材。
【請求項５】
請求項１乃至４において、反射部材と柱型突起部は一体化成形されていることを特徴とする反射部材。
【請求項６】
請求項１乃至４において、柱型突起部は反射部材に接着固定さされていることを特徴とする反射部材。
【請求項７】
請求項１乃至６の反射部材を有し、該柱型突起部と保持基台表面を接着固定し、配置位置を決定することを特徴とする光学系。
【請求項８】
請求項１乃至６の反射部材を有し、該柱型突起部を嵌合凸部とし、保持基台表面に設けられた前記と同型の柱型嵌合凹部に嵌合することにより配置位置を決定することを特徴とする光学系。
【請求項９】
請求項１乃至６の反射部材を有し、反射部材裏面に設けた多角形柱型突起部を基台表面に設けた前記と同型の貫通穴から貫通させ、保持基台裏面からナットで固定することにより配置位置を決定することを特徴とする光学系。
【請求項１０】
請求項１乃至６の反射部材を有し、反射部材に設けられた嵌合凸部の形状は多角柱型であることを特徴とする光学系。
【請求項１１】
請求項７乃至１０において、基台表面から突出した調整ネジを任意の位置に複数設け、調整ネジの高さを調整することにより、反射部材の傾きを決定することを特徴とする光学系。
【請求項１２】
請求項７乃至１０において、接触および嵌合部分を接着することを特徴とする光学系。
【発明の詳細な説明】
【０００１】
【発明の属する技術分野】
本発明は、プロジェクタや複写機等に用いられる曲率を有する反射部材とそれを用いた光学系に関する。
【０００２】
【従来の技術】
曲率を有する反射部材を保持基台に配置する際、反射部材全体を保持基台に接着することにより配置および保持を行い、保持基台と反射部材の膨張係数の差を小さくすることにより反射部材の歪みを抑制するという技術が用いられている。
【０００３】
【特許文献１】
特開２００１−２５５４６２号公報
【０００４】
【発明が解決しようとする課題】
保持基台により曲率を有する反射部材を保持する際、その膨張係数に差がある場合、反射部材全体を保持基台に接着すると、両者の熱膨張量が異なるため、両者間に応力が発生し、反射部材が歪んでしまう。その結果、結像性能が劣化し、高品質な画像を得ることができないという課題があった。
【０００５】
例えば、特許文献１のような反射部材を用いた軸外し光学系において、反射部材形状は非対称なため、保持基台と反射部材の両者間に熱膨張に起因する応力が発生すると、反射部材は非対称に変形してしまう。この変形は像面上で、主に非点隔差を発生させ、結像性能を劣化させる。この非点隔差は、ピント調整等により簡便に補正することは不可能である。
【０００６】
本発明は、上述の問題点に着目して成されたものであって、低コスト化に対して効果があり、また、精細な配置決定が可能となり、結像性能を向上させることが可能になるため、品質向上に対して効果がある、曲率を有する反射部材とそれを用いた光学系の提供を目的としている。
【０００７】
【課題を解決するための手段】
本発明では、上記課題を解決するために、保持基台に曲率を有する反射部材を配置する際、図１に示すように、反射部材１の有効領域に対して十分に小さい面積で接触する円柱あるいは多角形柱型突起部２（図１においては正六角形柱）を設け、これを保持基台に接着固定することにより配置および保持を行うという手段を持っている。
【０００８】
突起部２の位置は、熱膨張による変形の影響を最小にするために、面形状を表現する式の原点と一致する面頂点位置にあることが望ましく、また、保持のバランスを保つために、重心位置にあることが望ましい。通常、面頂点位置と重心位置は、ほぼ同位置にある。
【０００９】
また、多角形柱型突起部２の長さは、熱膨張量を小さくするため、できるだけ短いことが望ましい。従って、反射部材１が凸の場合は、突起部の長さを短くするため、図３のように、保持基台３も同形状であることが望ましくなる。
【００１０】
以上の構成を、改めて下記（１）〜（１２）に整理して示す。
【００１１】
（１）曲率を有する反射部材の裏面に該反射部材の有効径に対して十分に小さい面積により保持基台表面と接触する柱型突起部を有することを特徴とする反射部材。
【００１２】
（２）上記（１）において、反射部材の裏面と該柱型突起部の位置は、反射部材の有効径中心付近にあることを特徴とする反射部材。
【００１３】
（３）上記（１）において、反射部材の裏面と該柱型突起部の位置は、反射部材の面頂点付近にあることを特徴とする反射部材。
【００１４】
（４）上記（１）乃至（３）において、反射部材はプラスチック製またはガラス製であることを特徴とする反射部材。
【００１５】
（５）上記（１）乃至（４）において、反射部材と柱型突起部は一体化成形されていることを特徴とする反射部材。
【００１６】
（６）上記（１）乃至（４）において、柱型突起部は反射部材に接着固定さされていることを特徴とする反射部材。
【００１７】
（７）上記（１）乃至（６）の反射部材を有し、該柱型突起部と保持基台表面を接着固定し、配置位置を決定することを特徴とする光学系。
【００１８】
（８）上記（１）乃至（６）の反射部材を有し、該柱型突起部を嵌合凸部とし、保持基台表面に設けられた前記と同型の柱型嵌合凹部に嵌合することにより配置位置を決定することを特徴とする光学系。
【００１９】
（９）上記（１）乃至（６）の反射部材を有し、反射部材裏面に設けた多角形柱型突起部を基台表面に設けた前記と同型の貫通穴から貫通させ、保持基台裏面からナットで固定することにより配置位置を決定することを特徴とする光学系。
【００２０】
（１０）上記（１）乃至（６）の反射部材を有し、反射部材に設けられた嵌合凸部の形状は多角柱型であることを特徴とする光学系。
【００２１】
（１１）上記（７）乃至（１０）において、基台表面から突出した調整ネジを任意の位置に複数設け、調整ネジの高さを調整することにより、反射部材の傾きを決定することを特徴とする光学系。
【００２２】
（１２）上記（７）乃至（１０）において、接触および嵌合部分を接着することを特徴とする光学系。
【００２３】
【発明の実施の形態】
以下に本発明を実施するための最良の形態を、実施例に基づいて図面を参照しながら説明する。
【００２４】
（発明の実施例１）
以下に図２を参照して本発明の実施例１を説明する。
【００２５】
図２は、本発明の第１の実施形態を示す、保持基台３と該保持基台３に保持される反射部材１を示す図である。
【００２６】
本実施例１において、反射部材１は裏面の面頂点位置あるいは重心位置に円柱あるいは多角形柱型突起部２を有している。
【００２７】
本実施例１において、保持基台３と突起部２を所定の位置および方向に配置し、面接触状態に接着し、位置および方向を固定する。
【００２８】
本実施例により、保持基台と反射部材の両者に熱膨張が起こっても、応力は発生せず、反射部材の変形を防ぐことが可能となり、熱に強くかつ高品質な光学系が達成される。
【００２９】
（発明の実施例２）
以下に図３を参照して本発明の実施例２を説明する。
【００３０】
図３は、本発明の第２の実施形態を示す、保持基台３と該保持基台３に保持される反射部材１を示す図である。
【００３１】
本実施例２において、反射部材１は裏面の面頂点位置あるいは重心位置に多角形柱型突起部２（嵌合凸部）を有している。また、保持基台３は前記多角形柱型突起部２と同型の柱型嵌合凹部を有している。
【００３２】
本実施例２において、嵌合凸部と嵌合凹部を嵌合させ接着することにより位置を固定する。なお、嵌合部分が多角形であるため、回転方向についても固定される。
【００３３】
本実施例により、保持基台と反射部材の両者に熱膨張が起こっても、応力は発生せず、反射部材の変形を防ぐことが可能となり、熱に強くかつ高品質な光学系が達成される。
【００３４】
（発明の実施例３）
以下に図４を参照して本発明の実施例３を説明する。
【００３５】
図４は、本発明の第３の実施形態を示す、保持基台３と該保持基台３に保持される反射部材１を示す図である。
【００３６】
本実施例３において、反射部材１は裏面の面頂点位置あるいは重心位置に多角形柱型突起部２（嵌合凸部）とボルト４が一体化したものを有している。また、保持基台３は前記多角形柱型突起部２と同型の柱型嵌合凹部を有しており、この部分は保持基台３の裏面まで貫通している。
【００３７】
本実施例３において、嵌合凸部と嵌合凹部を嵌合させ、保持基台３の裏面からナット５により固定することにより配置を決定する。なお、嵌合部分が多角形であるため、回転方向についても固定される。
【００３８】
本実施例により、保持基台と反射部材の両者に熱膨張が起こっても、応力は発生せず、反射部材の変形を防ぐことが可能となり、熱に強くかつ高品質な光学系が達成される。
【００３９】
（発明の実施例４）
以下に図５を参照して本発明の実施例４を説明する。
【００４０】
図５は、本発明の第４の実施形態を示す、保持基台１と該保持基台１に保持される反射部材２を示す図である。
【００４１】
本実施例４において、反射部材１は裏面の面頂点位置あるいは重心位置に図６に示すような特殊形状ボルト６を有している。また、保持基台３は図６に示すような前記特殊形状ボルト６と同型の貫通穴を有している。
【００４２】
本実施例４において、特殊形状ボルト６を有する反射部材１を保持基台３の裏面からナット５により固定することにより配置を決定する。なお、図６のように、回転方向についても固定される。
【００４３】
本実施例により、保持基台と反射部材の両者に熱膨張が起こっても、応力は発生せず、反射部材の変形を防ぐことが可能となり、熱に強くかつ高品質な光学系が達成される。
【００４４】
（発明の実施例５）
以下に図７を参照して本発明の実施例５を説明する。
【００４５】
図７は、本発明の第５の実施形態を示す、保持基台３と該保持基台３に保持される反射部材１を示す図である。
【００４６】
本実施例５において、反射部材１は、実施例１〜４のいずれかの方法を用い、保持基台３により保持されている。
【００４７】
本実施例５において、保持基台３に保持された反射部材１に対して、保持基台３の裏面から反射部材１の裏面に傾き調整ネジ７を複数配置し、それらを上下させることにより反射部材１の傾きを調整する。
【００４８】
本実施例により、反射部材の位置および回転方向だけではなく、傾き方向も調整することが可能となり、熱に強くかつより高品質な光学系が達成される。
【００４９】
【発明の効果】
以上、詳述したように、本発明によれば、反射部材を基台により保持する際、熱膨張に起因する応力の発生を抑制し、反射部材の歪みを小さくすることができるため、必ずしも同程度の熱膨張係数を持つ物質を用いる必要がなくなり、低コスト化に対して効果があると考えられる。また、位置および傾き調整機能を設けることにより、精細な配置決定が可能となり、結像性能を向上させることが可能になるため、品質向上に対して効果があると考えられる。
【図面の簡単な説明】
【図１】本発明における反射部材と柱型突起部を示す概略構成図
【図２】本発明における第１実施形態を示す概略構成図
【図３】本発明における第２実施形態を示す概略構成図
【図４】本発明における第３実施形態を示す概略構成図
【図５】本発明における第４実施形態を示す概略構成図
【図６】本発明における第４実施形態の嵌合部分を示す概略構成図
【図７】本発明における第５実施形態を示す概略構成図
【符号の説明】
１  反射部材
２  円柱あるいは多角形柱型突起部
３  保持基台
４  ボルト
５  ナット
６  特殊形状ボルト
７  傾き調整ネジ
【図１】
2005024615.tif 000003
【図２】
2005024615.tif 000004
【図３】
2005024615.tif 000005
【図４】
2005024615.tif 000006
【図５】
2005024615.tif 000007
【図６】
2005024615.tif 000008
【図７】
2005024615.tif 000009